【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
ポリマーであって、該ポリマーは、
ｉ）骨格；
ｉｉ）該骨格上の２個またはこれより多くの正に荷電している部分；ならびに
ｉｉｉ）該骨格上の第１および第２の有色または蛍光部分、
を含み、ここで該２個またはこれより多くの正に荷電している部分は、該第１および第２の有色または蛍光部分の間の該ポリマー骨格上の位置にある、ポリマー。
【請求項２】
前記正に荷電している部分は、プロトン化アミンまたは四級アミン官能基を含む、請求項１に記載のポリマー。
【請求項３】
前記正に荷電している部分は、前記ポリマー骨格内にある、請求項１または２に記載のポリマー。
【請求項４】
前記正に荷電している部分は、選択肢的なリンカーを介して前記骨格に対してペンダント状になって共有結合される、請求項１または２に記載のポリマー。
【請求項５】
前記骨格は、ポリアミド、ポリアミン、デキストリン、デキストラン、セルロース、またはキトサンを含む、請求項１〜４のいずれか１項に記載のポリマー。
【請求項６】
以下の構造（Ｉ）：
【化２４】
2019523787.tif 000001
またはその立体異性体、塩もしくは互変異性体を有し、ここで：
Ｍは、各存在において、独立して、前記蛍光または有色部分であり；
Ｐ1は、各存在において、独立して、前記２個の正に荷電している部分を含む前記骨格のセクションであり；
Ｐ2は、各存在において、独立して、該蛍光または有色部分が結合される該骨格のセクションであり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2は、各存在において、独立して、非存在、該骨格のセクション、またはＰ2をＲ2にもしくはＰ2をＲ3に連結するリンカーであり；
Ｌ3は、各存在において、独立して、Ｐ1をＰ2に連結する選択肢的なリンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、スルフヒドリル、ジスルフィド、Ｎ−スクシンイミドエステル、イミドエステル、ポリフルオロフェニルエステル、イソチオシアネート、アルキルアジド、アシルアジド、アルキン、アルケン、ジエン、ジエノフィル、酸ハライド、スルホニルハライド、ホスフィン、α−ハロアミド、ビオチン、アミノ、マレイミド官能基、または以下の構造：
2019523787.tif 000002
のうちの１つから選択される部分であり、ここで：
Ｘは、ハロであり；および
ＥＷＧは、電子求引基であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；そして
ｎは、１またはこれより大きな整数である、
請求項１〜５のいずれか１項に記載のポリマー。
【請求項７】
Ｐ1は、以下の構造：
2019523787.tif 000003
のうちの１つを有し、ここで：
Ｒは、ＨまたはＣ1−Ｃ6アルキルであり；
ｘは、０〜６の整数であり；そして
ｍは、１またはこれより大きな整数であるが、ただしｍは、Ｐ1が少なくとも２個の正に荷電している部分を含むように選択される、
請求項６に記載のポリマー。
【請求項８】
Ｌ1の少なくとも１個の存在に関して、Ｌ1−Ｍは、以下の構造：
2019523787.tif 000004
のうちの１つを有し、ここでＬ1aおよびＬ1bは、各々独立して、選択肢的なリンカーである、請求項６に記載のポリマー。
【請求項９】
Ｌ1は、各存在において、独立して、選択肢的なアルキレンまたはヘテロアルキレンリンカーである、請求項６または７のいずれか１項に記載のポリマー。
【請求項１０】
Ｌ2およびＬ3は、各存在において、独立して、Ｃ1−Ｃ6アルキレン、Ｃ2−Ｃ6アルケニレンまたはＣ2−Ｃ6アルキニレンである、請求項６〜９のいずれか１項に記載のポリマー。
【請求項１１】
Ｒ2およびＲ3は、各々独立して、ＯＨまたは−ＯＰ（＝Ｒa）（Ｒb）Ｒcである、請求項６〜１０のいずれか１項に記載のポリマー。
【請求項１２】
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、請求項６〜１０のいずれか１項に記載のポリマー。
【請求項１３】
Ｒ2またはＲ3のうちの一方は、ＯＨまたは−ＯＰ（＝Ｒa）（Ｒb）Ｒcであり、Ｒ2またはＲ3のうちの他方は、核酸、核酸ポリマー、アミノ酸、アミノ酸ポリマー、酵素、レセプター、レセプターリガンド、抗体、糖タンパク質、アプタマー、若しくはプリオンへの共有結合を含むリンカー、またはポリマービーズ若しくは非ポリマービーズへの共有結合を含むリンカーである、請求項６〜１０のいずれか１項に記載のポリマー。
【請求項１４】
前記有色または蛍光部分は、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、請求項１〜１３のいずれか１項に記載のポリマー。
【請求項１５】
前記有色または蛍光部分は、各存在において、独立して、ｐ−ターフェニル、ペリレン、アゾベンゼン、フェナジン、フェナントロリン、アクリジン、チオキサントレン、クリセン、ルブレン、コロネン、シアニン、ペリレンイミド、もしくはペリレンアミドまたはその誘導体である、請求項１〜１４のいずれか１項に記載のポリマー。
【請求項１６】
前記有色または蛍光部分は、各存在において、独立して、クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、請求項１〜１５のいずれか１項に記載のポリマー。
【請求項１７】
前記有色または蛍光部分は、各存在において、独立して、ピレン、ペリレン、ペリレンモノイミドもしくは６−ＦＡＭまたはその誘導体である、請求項１〜１６のいずれか１項に記載のポリマー。
【請求項１８】
前記有色または蛍光部分は、各存在において、独立して、以下の構造：
【化２９】
2019523787.tif 000005
のうちの１つを有する、請求項１〜１７のいずれか１項に記載のポリマー。
【請求項１９】
以下の構造：
2019523787.tif 000006
2019523787.tif 000007
のうちの１つを有し、ここで：
ｘは、各存在において、独立して、１またはこれより大きな整数であり、ただし、ｘは、
少なくとも１つの整数値ｙに関して、前記化合物が少なくとも２個の正に荷電している部分を含むように選択され；
ｙは、２またはこれより大きな整数であり；
Ｒ2、Ｒ3、及びＬ1は、請求項６に従って定義され；および
Ｆは、以下の構造：
2019523787.tif 000008
を有する蛍光部分である、ポリマー。
【請求項２０】
サンプルを染色するための方法であって、該方法は、該サンプルに、請求項１〜１９のいずれか１項に記載のポリマーを、該サンプルが適切な波長で照射される場合に光学的応答を生じるために十分な量で添加する工程を包含する方法。
【請求項２１】
前記光学的応答は、蛍光応答であり、前記サンプルは、細胞を含み、および前記方法は、細胞をフローサイトメトリーによって観察する工程をさらに含む、請求項２０に記載の方法。
【請求項２２】
分析物分子を視覚的に検出するための方法であって、該方法は、
（ａ）請求項１〜１９のいずれか１項に記載のポリマーを提供する工程であって、該ポリマーが、該分析物分子への共有結合を含む工程；および
（ｂ）該ポリマーをその視覚的特性によって検出する工程、
を包含する方法。
【請求項２３】
分析物分子を視覚的に検出するための方法であって、該方法は、
（ａ）Ｒ2またはＲ3は、ＱまたはＱへの共有結合を含むリンカーである請求項１０に記載のポリマーと、該分析物分子とを混合する工程；
（ｂ）Ｑと該分析物分子上の相補的基との反応によって該化合物および該分析物分子の結合体を形成する工程；ならびに
（ｃ）該結合体をその視覚的特性によって検出する工程、
を包含する方法。
【請求項２４】
請求項１〜１９のいずれか１項に記載のポリマーおよび１もしくはこれより多くの分析物分子を含む、組成物。
【請求項２５】
前記１もしくはこれより多くの分析物分子の検出のための分析方法における請求項２４に記載の組成物の使用。
【請求項２６】
請求項１〜１９のいずれか１項に記載の化合物およびシクロデキストリンを含む、組成物。
【手続補正２】
【補正対象書類名】明細書
【補正対象項目名】０２０１
【補正方法】変更
【補正の内容】
【０２０１】
前述から、本発明の具体的実施形態が例証目的のために本明細書で記載されてきたものの、本発明の趣旨および範囲から逸脱することなく、種々の改変がなされ得ることは認識される。よって、本発明は、添付の特許請求の範囲による場合を除いて限定されない。
本発明のまた別の態様は、以下のとおりであってもよい。
〔１〕
ポリマーであって、該ポリマーは、
ｉ）骨格；
ｉｉ）該骨格上の２個またはこれより多くの荷電部分；ならびに
ｉｉｉ）該骨格上の第１および第２の有色または蛍光部分、
を含み、ここで該２個またはこれより多くの荷電部分は、該第１および第２の有色または蛍光部分の間の該ポリマー骨格上の位置にあり、ただし該荷電部分のうちの少なくとも１個は、ホスフェートではない、ポリマー。
〔２〕
前記荷電部分は、正に荷電している、前記〔１〕に記載のポリマー。
〔３〕
前記荷電部分は、プロトン化アミンまたは四級アミン官能基を含む、前記〔２〕に記載のポリマー。
〔４〕
前記荷電部分は、負に荷電している、前記〔１〕に記載のポリマー。
〔５〕
前記荷電部分は、カルボン酸またはスルフェート官能基を含む、前記〔４〕に記載のポリマー。
〔６〕
前記荷電部分は、前記ポリマー骨格内にある、前記〔１〕〜〔５〕のいずれか１項に記載のポリマー。
〔７〕
前記荷電部分は、選択肢的なリンカーを介して前記骨格に対してペンダント状になって共有結合される、前記〔１〕〜〔５〕のいずれか１項に記載のポリマー。
〔８〕
前記骨格は、ホスホロアミダイトおよびアルコール；アミンおよびエポキシド；アミンおよびアルデヒド；またはＮ−カルボキシ無水物の重合から生じる骨格を含む、前記〔１〕〜〔７〕のいずれか１項に記載のポリマー。
〔９〕
前記骨格は、ポリアミド、ポリアミン、デキストリン、デキストラン、セルロース、キトサン、ポリアクリレート、ポリスルフェートまたはポリカルボン酸を含む、前記〔１〕〜〔８〕のいずれか１項に記載のポリマー。
〔１０〕
以下の構造（Ｉ）：
【化２４】
2019523787.tif 000009
またはその立体異性体、塩もしくは互変異性体を有し、ここで：
Ｍは、各存在において、独立して、前記蛍光または有色部分であり；
Ｐ1は、各存在において、独立して、前記２個の荷電部分を含む前記骨格のセクションであり；
Ｐ2は、各存在において、独立して、該蛍光または有色部分が結合される該骨格のセクションであり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ2は、各存在において、独立して、非存在、該骨格のセクション、またはＰ2をＲ2にもしくはＰ2をＲ3に連結するリンカーであり；
Ｌ3は、各存在において、独立して、Ｐ1をＰ2に連結する選択肢的なリンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ’と共有結合を形成できる反応性基を含む部分、またはその保護されたアナログであり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；そして
ｎは、１またはこれより大きな整数である、
前記〔１〕〜〔９〕のいずれか１項に記載のポリマー。
〔１１〕
Ｐ1は、以下の構造：
【化２５】
2019523787.tif 000010
【化２６】
2019523787.tif 000011
のうちの１つを有し、ここで：
Ｒは、ＨまたはＣ1−Ｃ6アルキルであり；
ｘは、０〜６の整数であり；そして
ｍは、１またはこれより大きな整数であるが、ただしｍは、Ｐ1が少なくとも２個の荷電部分を含むように選択される、
前記〔１０〕に記載のポリマー。
〔１２〕
Ｌ1は、各存在において、２個の相補的反応性基の反応によって形成できる官能基を含むリンカーである、前記〔１０〕〜〔１１〕のいずれか１項に記載のポリマー。
〔１３〕
Ｌ1の少なくとも１個の存在に関して、前記官能基は、アルデヒド、オキシム、ヒドラゾン、アルキン、アミン、アジド、アシルアジド、アシルハライド、ニトリル、ニトロン、スルフヒドリル、ジスルフィド、スルホニルハライド、イソチオシアネート、イミドエステル、活性化エステル、ケトン、α，β−不飽和カルボニル、アルケン、マレイミド、α−ハロイミド、エポキシド、アジリジン、テトラジン、テトラゾール、ホスフィン、ビオチンまたはチイラン官能基と、相補的反応性基との反応によって形成できる、前記〔１２〕に記載のポリマー。
〔１４〕
Ｌ1の少なくとも１個の存在に関して、前記官能基は、アルキンおよびアジドの反応によって形成できる、前記〔１２〕に記載のポリマー。
〔１５〕
Ｌ1の少なくとも１個の存在に関して、前記官能基は、アルケン、エステル、アミド、チオエステル、ジスルフィド、炭素環式、複素環式またはヘテロアリール基を含む、前記〔１２〕に記載のポリマー。
〔１６〕
Ｌ1の少なくとも１個の存在に関して、Ｌ1は、トリアゾリル官能基を含むリンカーである、前記〔１２〕に記載のポリマー。
〔１７〕
Ｌ1の少なくとも１個の存在に関して、Ｌ1−Ｍは、以下の構造：
【化２７】
2019523787.tif 000012
を有し、ここでＬ1aおよびＬ1bは、各々独立して、選択肢的なリンカーである、前記〔１２〕に記載のポリマー。
〔１８〕
Ｌ1の少なくとも１個の存在に関して、Ｌ1−Ｍは、以下の構造：
【化２８】
2019523787.tif 000013
を有し、ここでＬ1aおよびＬ1bは、各々独立して、選択肢的なリンカーである、前記〔１２〕に記載のポリマー。
〔１９〕
Ｌ1は、各存在において、独立して、選択肢的なアルキレンまたはヘテロアルキレンリンカーである、前記〔１０〕または〔１１〕のいずれか１項に記載のポリマー。
〔２０〕
Ｌ2およびＬ3は、各存在において、独立して、Ｃ1−Ｃ6アルキレン、Ｃ2−Ｃ6アルケニレンまたはＣ2−Ｃ6アルキニレンである、前記〔１０〕〜〔１９〕のいずれか１項に記載のポリマー。
〔２１〕
Ｒ2およびＲ3は、各々独立して、ＯＨまたは−ＯＰ（＝Ｒa）（Ｒb）Ｒcである、前記〔１０〕〜〔２０〕のいずれか１項に記載のポリマー。
〔２２〕
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、前記〔１０〕〜〔２０〕のいずれか１項に記載のポリマー。
〔２３〕
Ｑは、求核性反応性基、求電子性反応性基または環化付加反応性基を含む、前記〔１０〕〜〔２０〕または〔２２〕のいずれか１項に記載のポリマー。
〔２４〕
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、前記〔２３〕に記載のポリマー。
〔２５〕
前記活性化エステルは、Ｎ−スクシンイミドエステル、イミドエステルまたはポリフルオロフェニルエステルである、前記〔２４〕に記載のポリマー。
〔２６〕
前記アジドは、アルキルアジドまたはアシルアジドである、前記〔２４〕に記載のポリマー。
〔２７〕
Ｑは、表１から選択される部分である、前記〔１０〕〜〔２０〕または〔２２〕のいずれか１項に記載のポリマー。
〔２８〕
Ｒ2またはＲ3のうちの一方は、ＯＨまたは−ＯＰ（＝Ｒa）（Ｒb）Ｒcであり、Ｒ2またはＲ3のうちの他方は、分析物分子への共有結合を含むリンカーまたは固体支持体への共有結合を含むリンカーである、前記〔１０〕〜〔２０〕のいずれか１項に記載のポリマー。
〔２９〕
前記分析物分子は、核酸、アミノ酸またはこれらのポリマーである、前記〔２８〕に記載のポリマー。
〔３０〕
前記分析物分子は、酵素、レセプター、レセプターリガンド、抗体、糖タンパク質、アプタマーまたはプリオンである、前記〔２８〕に記載のポリマー。
〔３１〕
前記固体支持体は、ポリマービーズまたは非ポリマービーズである、前記〔２８〕に記載のポリマー。
〔３２〕
ｎは、１〜１００の整数である、前記〔１０〕〜〔３１〕のいずれか１項に記載のポリマー。
〔３３〕
ｎは、１〜１０の整数である、前記〔１０〕〜〔３１〕のいずれか１項に記載のポリマー。
〔３４〕
前記有色または蛍光部分は、各存在において、独立して、４個もしくはこれより多くのアリールもしくはヘテロアリール環、またはこれらの組み合わせを含む部分である、前記〔１〕〜〔３１〕のいずれか１項に記載のポリマー。
〔３５〕
前記有色または蛍光部分は、各存在において、独立して、少なくとも４個の縮合環を含む縮合多環式アリール部分を含む、前記〔１〕〜〔３４〕のいずれか１項に記載のポリマー。
〔３６〕
前記有色または蛍光部分は、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、前記〔１〕〜〔３５〕のいずれか１項に記載のポリマー。
〔３７〕
前記有色または蛍光部分は、各存在において、独立して、ｐ−ターフェニル、ペリレン、アゾベンゼン、フェナジン、フェナントロリン、アクリジン、チオキサントレン、クリセン、ルブレン、コロネン、シアニン、ペリレンイミド、もしくはペリレンアミドまたはその誘導体である、前記〔１〕〜〔３６〕のいずれか１項に記載のポリマー。
〔３８〕
前記有色または蛍光部分は、各存在において、独立して、クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、前記〔１〕〜〔３７〕のいずれか１項に記載のポリマー。
〔３９〕
前記有色または蛍光部分は、各存在において、独立して、ピレン、ペリレン、ペリレンモノイミドもしくは６−ＦＡＭまたはその誘導体である、前記〔１〕〜〔３８〕のいずれか１項に記載のポリマー。
〔４０〕
前記有色または蛍光部分は、各存在において、独立して、以下の構造：    
【化２９】
2019523787.tif 000014
のうちの１つを有する、前記〔１〕〜〔３９〕のいずれか１項に記載のポリマー。
〔４１〕
表２から選択されるポリマー。
〔４２〕
サンプルを染色するための方法であって、該方法は、該サンプルに、前記〔１〕〜〔４１〕のいずれか１項に記載のポリマーを、該サンプルが適切な波長で照射される場合に光学的応答を生じるために十分な量で添加する工程を包含する方法。
〔４３〕
前記光学的応答は、蛍光応答である、前記〔４２〕に記載の方法。
〔４４〕
前記サンプルは、細胞を含む、前記〔４２〕〜〔４３〕のいずれか１項に記載の方法。
〔４５〕
前記細胞をフローサイトメトリーによって観察する工程をさらに包含する、前記〔４４〕に記載の方法。
〔４６〕
前記蛍光応答を、検出可能に異なる光学的特性を有する第２の発蛍光団の蛍光応答から区別する工程をさらに包含する、前記〔４３〕に記載の方法。
〔４７〕
分析物分子を視覚的に検出するための方法であって、該方法は、
（ａ）前記〔１〕〜〔４１〕のいずれか１項に記載のポリマーを提供する工程であって、該ポリマーが、該分析物分子への共有結合を含む工程；および
（ｂ）該ポリマーをその視覚的特性によって検出する工程、
を包含する方法。
〔４８〕
分析物分子を視覚的に検出するための方法であって、該方法は、
（ａ）Ｒ2またはＲ3は、ＱまたはＱへの共有結合を含むリンカーである前記〔１０〕に記載のポリマーと、該分析物分子とを混合する工程；
（ｂ）Ｑと該分析物分子上の相補的基との反応によって該化合物および該分析物分子の結合体を形成する工程；ならびに
（ｃ）該結合体をその視覚的特性によって検出する工程、
を包含する方法。
〔４９〕
前記〔１〕〜〔４１〕のいずれか１項に記載のポリマーおよび１もしくはこれより多くの分析物分子を含む、組成物。
〔５０〕
前記１もしくはこれより多くの分析物分子の検出のための分析方法における前記〔４９〕に記載の組成物の使用。
〔５１〕
前記〔１〕〜〔４１〕のいずれか１項に記載の化合物およびシクロデキストリンを含む、組成物。
〔５２〕
前記シクロデキストリンは、α−シクロデキストリン、β−シクロデキストリンまたはγ−シクロデキストリンである、前記〔５１〕に記載の組成物。
〔５３〕
前記組成物は、水を含む、前記〔５１〕〜〔５２〕のいずれか１項に記載の組成物。